(57)【特許請求の範囲】
【請求項１】
車両に第一の流体を補給する第一の補給口に接続された第一のフィラネックと、前記車両に第二の流体を補給する第二の補給口に接続された第二のフィラネックとを車体に取り付ける車両のフィラネック固定構造において、
前記第一のフィラネックは前記車体に取り付けられる保持部材に固定され、前記第二のフィラネックは固定部材を介して前記保持部材により着脱自在に保持され、
前記第一のフィラネック及び前記第二のフィラネックはそれぞれ円筒形状に形成され、前記保持部材は前記第一のフィラネックの外周を円周方向に固定すると共に前記第二のフィラネックの外周を円周方向に保持し、前記固定部材は前記第二のフィラネックの外周を接線方向に固定することを特徴とする車両のフィラネック固定構造。
【請求項２】
請求項１に記載の車両のフィラネック固定構造において、
前記第一の流体は前記車両の内燃機関を駆動する燃料であり、前記第二の流体は尿素水であることを特徴とする車両のフィラネック固定構造。
【請求項３】
請求項１または２に記載の車両のフィラネック固定構造において、
前記保持部材は弾性部材を介して前記車体に取り付けられることを特徴とする車両のフィラネック固定構造。
【発明の詳細な説明】
【技術分野】
【０００１】
本発明は、車両のフィラネック固定構造に関する。
【背景技術】
【０００２】
ディーゼルエンジンの排気に含まれる窒素酸化物（ＮＯｘ）濃度を低減させるための排気浄化装置として、選択還元触媒システムが開発されている。これは、一酸化窒素（ＮＯ）や炭化水素（ＨＣ）等を酸化するための酸化触媒と、酸化触媒の下流側に設けられ尿素水から生成したアンモニアとＮＯｘとの化学反応によりＮＯｘを窒素と水とに分解させるための選択還元触媒と、選択還元触媒に還元剤である尿素水を添加させる尿素水添加手段とを有している。
【０００３】
このような排気浄化装置を備えた車両では、排気浄化装置に用いられる尿素水を貯容する尿素水タンクを備えており、燃料である軽油と同様に車両の走行に伴い消費される尿素水を定期的に補給する必要がある。この尿素水の補給は運転者本人、車両の整備者、スタンドの店員等によって行われるが、尿素水を供給するフィラネックに設けられた補給口が燃料を供給するフィラネックに設けられた補給口から離れた位置にあると不便であることから、燃料の補給口の隣に尿素水の補給口を設けて燃料及び尿素水の各フィラネックを固定する技術が知られている（例えば「特許文献１」参照）。
【先行技術文献】
【特許文献】
【０００４】
【特許文献１】特開２０１４−１１８００４号公報
【発明の概要】
【発明が解決しようとする課題】
【０００５】
燃料の補給口の隣に尿素水の補給口を設けることにより、尿素水の補給口の位置がすぐに判ると共に作業効率も向上することから利便性が向上する。しかし、通常の燃料の補給口は車体を構成する鉄板に開口部を形成してそこに嵌合される構成となっている。このため尿素水の補給口を設ける際に、車体強度を低下させたくないことから燃料の補給口が嵌合される開口部の隣に所定の間隔をおいて尿素水の補給口が嵌合される開口部が形成されており、燃料の補給口と尿素水の補給口との間隔はある程度以上必要となる。通常、このような補給口は車体の外板から奥まった位置に配設され、補給時以外は蓋部材によって覆われる構成を採っている。このため、燃料の補給口と尿素水の補給口との間隔が大きくなると車両の小型化が妨げられると共に、開口部を覆う蓋部材の大きさも大きくなり見栄えが悪いという問題点がある。
本発明は上述の問題点を解決し、車両の小型化を妨げることなく見栄えを向上することが可能な車両のフィラネック固定構造の提供を目的とする。
【課題を解決するための手段】
【０００６】
請求項１記載の発明は、車両に第一の流体を補給する第一の補給口に接続された第一のフィラネックと、前記車両に第二の流体を補給する第二の補給口に接続された第二のフィラネックとを車体に取り付ける車両のフィラネック固定構造において、前記第一のフィラネックは前記車体に取り付けられる保持部材に固定され、前記第二のフィラネックは固定部材を介して前記保持部材により着脱自在に保持され、前記第一のフィラネック及び前記第二のフィラネックはそれぞれ円筒形状に形成され、前記保持部材は前記第一のフィラネックの外周を円周方向に固定すると共に前記第二のフィラネックの外周を円周方向に保持し、前記固定部材は前記第二のフィラネックの外周を接線方向に固定することを特徴とする。
【０００７】
請求項２記載の発明は、請求項１に記載の車両のフィラネック固定構造において、さらに前記第一の流体は前記車両の内燃機関を駆動する燃料であり、前記第二の流体は尿素水であることを特徴とする。
【０００８】
請求項３記載の発明は、請求項１または２に記載の車両のフィラネック固定構造において、さらに前記保持部材は弾性部材を介して前記車体に取り付けられることを特徴とする。
【発明の効果】
【００１１】
本発明によれば、各フィラネックを単一の保持部材によって車体に取り付けることができる。このため、各フィラネックの間隔を最小とすることにより、車体に形成する孔部の大きさを最小とすることができる。これにより、車体の強度を低下させることなくかつ車両の小型化を妨げることなく、給油口を覆う蓋も小さくすることができ見栄えを向上することができる。
【図面の簡単な説明】
【００１２】
【図１】本発明の一実施形態を適用可能な（ａ）車両の底面図（ｂ）給水口及び給油口近傍の概略図である。
【図２】本発明の一実施形態における尿素水タンクと給水口及び燃料タンクと給油口との接続状態を説明する概略図である。
【図３】本発明の一実施形態における車体への各フィラネックの固定状況を説明する概略図である。
【発明を実施するための形態】
【００１３】
図１（ａ）は、本発明の一実施形態を適用可能な車両の底面図である。同図において車両１は走行駆動源である内燃機関としてのディーゼルエンジン２（以下、エンジンという）を車体３の前部に搭載しており、車体３の左右方向中央部にはエンジン２の駆動力を後輪４に伝達するプロペラシャフト５が配設されている。
【００１４】
車両１には、エンジン２の排気浄化装置として選択還元触媒が搭載されている。選択還元触媒は、エンジン２の排気通路である排気管６に配設された選択還元触媒７と、選択還元触媒７よりも排気方向上流側に位置する排気管６内に還元剤である尿素水を添加する尿素水添加手段８とを有している。排気管６内に添加された尿素水は、排気中に分散されると共に排気の熱によって加水分解されてアンモニアとＣＯ２となる。そして、選択還元触媒７において生成されたアンモニアと排気中のＮＯｘとが反応し、窒素及び水に化学変化する。このようにしてＮＯｘが浄化された排気は大気中へと放散される。
【００１５】
尿素水添加手段８には、車体３に搭載された尿素水タンク９に貯容されている第二の流体としての尿素水が供給される。尿素水タンク９は、車体３の最後部位置であって図示しないトランクの下方に配置されている。車体３の後輪４よりも前側であって車室フロアの下方の位置には、エンジン２の燃料である第一の流体としての軽油を貯容する燃料タンク１０が配設されている。
【００１６】
尿素水タンク９への尿素水の補給口である第二の補給口としての給水口１１と、燃料タンク１０への軽油の補給口である第一の補給口としての給油口１２とは、図１（ｂ）に示すように車体３の左側面であって後輪４の上側に位置する部位に並設されている。図２に示すように、給油口１２と燃料タンク１０との間には両者を接続する第一のフィラネックとしての円筒形状を呈するフィラネック１３が配設されており、給水口１１と尿素水タンク９との間には両者を接続する第二のフィラネックとしての円筒形状を呈するフィラネック１４が配設されている。図２において符号１５は後輪４のショックアブソーバを示しており、給水口１１及び給油口１２は、ショックアブソーバ１５を挟んで車両前側に給油口１２が、車両後側に給水口１１が位置するようにそれぞれ配設されている。
【００１７】
図３は、給油口１２を一体的に有するフィラネック１３と、給水口１１を一体的に有するフィラネック１４との車体３への固定構造を示している。金属製のフィラネック１３には、給油口１２の首部が嵌合可能な孔部１６ａを有し車体３に取り付けられる金属製の保持部材１６が溶接によって固着されている。すなわちフィラネック１３は、保持部材１６によってその外周を円周方向において着脱不可に固定されている。保持部材１６には、孔部１６ａに並んで給水口１１の首部が嵌合可能な孔部１６ｂが形成されており、その周囲には半円形状を呈し各端部が曲折形成された金属製の固定部材１７が溶接によって固定されている。固定部材１７の各端部にはナット１８がそれぞれ溶接によって固定されており、給水口１１にはナット１８に螺合するねじが貫通可能な孔部が形成された固定部１１ａが一体的に２箇所形成されている。
【００１８】
上述した各フィラネック１３，１４の車体３への取り付けを説明する。フィラネック１３が固定された保持部材１６は、ゴム等の弾性部材からなるブーツ１９に形成された溝部１９ａにその外周部を嵌合される。保持部材１６が固定されたブーツ１９は、車体３の外板に形成された孔部に嵌合されて固定される。そして、車体３に取り付けられた保持部材１６に固定された固定部材１７に対して、図示しないねじによりフィラネック１４が固定される。すなわちフィラネック１４は、保持部材１６によってその外周を円周方向に保持されると共に、固定部材１７によってその外周を接線方向において着脱自在に固定されている。
【００１９】
上述の構成によれば、各フィラネック１３，１４を、ブーツ１９を介して単一の保持部材１６によって車体３に取り付けることができる。このため、各フィラネック１３，１４の間隔を最小とすることにより、車体３に形成する孔部の大きさを最小とすることができる。これにより、車体３の強度を低下させることなくかつ車両の小型化を妨げることなく、給油口１２を覆う蓋も小さくすることができ見栄えを向上することができる。
【００２０】
また、車体３に対してフィラネック１３を保持した保持部材１６を取り付けた後、保持部材１６に固定された固定部材１７に対してフィラネック１４を固定することにより、各フィラネック１３，１４を保持部材１６に固定した後に車体３に取り付ける場合に比して各フィラネック１３，１４の自由度が向上するため、フィラネック１４の取り付け時における作業性を向上することができる。また、ブーツ１９の形状を変えることによりフィラネック１４が必要ではない車両にも保持部材１６を用いることができ、部品の共用化を図ることによりコストダウンを達成することができる。
【００２１】
以上、本発明の好ましい実施の形態について説明したが、本発明は上述した特定の実施形態に限定されるものではなく、上述の説明で特に限定していない限り、特許請求の範囲に記載された本発明の趣旨の範囲内において、種々の変形・変更が可能である。本発明の実施の形態に記載された効果は本発明から生じる最も好適な効果を列挙したに過ぎず、本発明による効果は本発明の実施の形態に記載されたものに限定されるものではない。
【符号の説明】
【００２２】
１・・・車両、２・・・内燃機関（ディーゼルエンジン）、３・・・車体、１１・・・第二の補給口（給水口）、１２・・・第一の補給口（給油口）、１３・・・第一のフィラネック（フィラネック）、１４・・・第二のフィラネック（フィラネック）、１６・・・保持部材、１７・・・固定部材、１９・・・弾性部材（ブーツ）
【図１】
0006701720.tif 000002
【図２】
0006701720.tif 000003
【図３】
0006701720.tif 000004